(57)【要約】【課題】  様々な外形寸法の靴を立てた状態で収納することができる靴収納具を提供する。【解決手段】  靴Ｓを立てた状態で収納しうる靴収納具１０であって、上部及び側部に開放部１１を有する有底半円筒状の本体部１２と、開放部１１を被覆しうる布部１３とを備え、布部１３には靴Ｓを出し入れしうる開口部１４が設けられている。【選択図】  図３
0003205824.tif 000002
【実用新案登録請求の範囲】
【請求項１】
靴を立てた状態で収納しうる靴収納具であって、上部及び側部に開放部を有する有底半円筒状の本体部と、前記開放部を被覆しうる布部とを備え、前記布部には靴を出し入れしうる開口部が設けられていることを特徴とする靴収納具。
【請求項２】
前記本体部は、短円筒状の底部と、前記底部の円周方向の一部から立ち上がって形成された側面部とにより構成されていることを特徴とする請求項１記載の靴収納具。
【請求項３】
前記本体部は軸方向において互いに側面部が接合された一対の本体構成部により構成されていることを特徴とする請求項２記載の靴収納具。
【請求項４】
前記布部の開口部には開閉可能な閉止具が設けられていることを特徴とする請求項１記載の靴収納具。
【請求項５】
前記本体部には携帯用の把持部が設けられていることを特徴とする請求項１記載の靴収納具。
【請求項６】
前記本体部はペットボトルを軸方向に沿って切除して形成されていることを特徴とする請求項１記載の靴収納具。
【考案の詳細な説明】
【技術分野】
【０００１】
本考案は、靴収納具に関するものである。
【背景技術】
【０００２】
一般に、靴収納具は上履きを収納して持ち運び、体育館等の室内に入る際に外履きから上履きに履き替えて、外履きを収納するために使用する。
従来より、靴収納具は布製や革製の巾着袋として作製されている。しかしながら、このような靴収納具は、靴を立てた状態で収納することができないという不具合があった。
【０００３】
例えば、特許文献１には、中央部に折曲線を凹設した基板の表面両翼に透明軟質嚢体を設けその両側縁ならびに下縁を基板に縫着または溶着すると共に、上縁に開口部を設けた靴収納具が開示されている。
しかしながら、特許文献１にあっては、全体が軟質なビニール製の靴収納具であるため、収納できる靴の外形寸法が限られてしまうという不具合があった。
また、特許文献１に開示された靴収納具にあっては、大きい靴を無理に入れると破れる可能性があり、耐久性に欠けるという不具合があった。また、外観品質が劣るという不具合もあった。
【特許文献１】実公昭３７−２８８６号公報
【考案の開示】
【考案が解決しようとする課題】
【０００４】
本考案は、以上のような従来からの不具合を解消するためのものであって、その課題は、様々な外形寸法の靴を立てた状態で収納することができる靴収納具を提供することにある。
【課題を解決するための手段】
【０００５】
前記課題を解決するために、請求項１に記載の考案にあっては、靴を立てた状態で収納しうる靴収納具であって、上部及び側部に開放部を有する有底半円筒状の本体部と、前記開放部を被覆しうる布部とを備え、前記布部には靴を出し入れしうる開口部が設けられていることを特徴とする。
【０００６】
従って、前記開口部から靴を入れた場合には、前記靴は立てた状態で有底半円筒状の前記本体部に収納され、さらに前記布部によって被覆される。
【０００７】
請求項２に記載の考案にあっては、前記本体部は、短円筒状の底部と、前記底部の円周方向の一部から立ち上がって形成された側面部とにより構成されていることを特徴とする。
【０００８】
従って、前記本体部に収納した前記靴は、前記底部と前記側面部とにより支持される。
【０００９】
請求項３に記載の考案にあっては、前記本体部は軸方向において互いに側面部が接合された一対の本体構成部により構成されていることを特徴とする。
【００１０】
従って、前記一対の本体構成部には、夫々、前記靴が片方ずつ収納され、前記布部によって、前記靴が被覆される。
【００１１】
請求項４に記載の考案にあっては、前記布部の開口部には開閉可能な閉止具が設けられていることを特徴とする。
【００１２】
従って、前記開口部は、前記閉止具によって開閉可能に閉止される。
【００１３】
請求項５に記載の考案にあっては、前記本体部には携帯用の把持部が設けられていることを特徴とする。
【００１４】
請求項６に記載の考案にあっては、前記本体部はペットボトルを軸方向に沿って切除して形成されていることを特徴とする。
【考案の効果】
【００１５】
請求項１〜６に記載の靴収納具にあっては、前記開口部から靴を入れた場合には、前記靴は立てた状態で有底半円筒状の前記本体部に収納され、さらに前記布部によって被覆されるので、前記靴を立てた状態で収納することができる。
また、前記本体部は上部及び側部に前記開放部を有し、さらに前記開放部は前記布部によって被覆されるので、前記本体部よりも外形寸法の大きい靴を前記本体部に収納した場合であっても、前記開放部から露出した靴は前記布部に被覆されるので、前記靴を確実に収納することができる。その結果、様々な外形寸法の靴を立てた状態で収納することができる靴収納具を提供することができる。
【００１６】
特に、請求項２に記載の靴収納具にあっては、前記本体部に収納した前記靴は、前記底部と前記側面部とにより支持されるので、前記靴を立てた状態で確実に収納することができる。
【００１７】
請求項３に記載の靴収納具にあっては、前記一対の本体構成部には、夫々、前記靴が片方ずつ収納され、前記布部によって、前記靴が被覆されるので、前記靴を片方ずつ確実に収納することができる。
【００１８】
請求項４に記載の靴収納具にあっては、前記開口部は、前記閉止具によって開閉可能に閉止されるので、前記本体部に収納された前記靴が前記開口部から脱出するといった事態を確実に防止することができる。
【００１９】
請求項５に記載の靴収納具にあっては、前記本体部には携帯用の把持部が設けられているので、前記本体部に前記靴を収納した状態で、前記把持部を把持して携帯することができる。
【００２０】
請求項６に記載の靴収納具にあっては、前記本体部はペットボトルを軸方向に沿って切除して形成されているので、前記本体部はペットボトルを構成する樹脂であるポリエチレンテレフタラート由来の透明度、硬度等を有する。その結果、前記本体部に収納した前記靴の状態を外部から視認することができると共に、前記本体部に収納した前記靴を外部の衝撃から保護することができる。
また、請求項６に記載の靴収納具にあっては、飲み終わったペットボトルを使用して作製することができるので、生産コストを低減させ、大量に供給することができる。
【図面の簡単な説明】
【００２１】
【図１】図１は、本考案に係る靴収納具の一実施の形態を示す正面側斜視図である。
【図２】図２は、本考案に係る靴収納具の一実施の形態を示す背面側斜視図である。
【図３】図３は、本考案に係る靴収納具の一実施の形態において、上履きを収納した状態を示す正面側斜視図である。
【考案を実施するための最良の形態】
【００２２】
以下、添付図面に示す実施の形態に基づき、本考案を詳細に説明する。
図１〜図３に示すように、本考案の一実施の形態に係る靴収納具１０は、靴Ｓを立てた状態で収納しうるように構成され、上部及び側部に開放部１１を有する有底半円筒状の本体部１２と、開放部１１を被覆しうる布部１３とを備え、布部１３には靴Ｓを出し入れしうる開口部１４が設けられている。
【００２３】
また、図１〜図３に示すように、本実施の形態に係る本体部１２は、短円筒状の底部１５と、底部１５の円周方向の一部から立ち上がって形成された側面部１６とにより構成されている。また、図１〜図３に示すように、本体部１２は軸方向において互いに側面部１６、１６が接合された一対の本体構成部１７、１７により構成されている。図１〜図３に示すように、本実施の形態に係る側面部１６、１６は、孔部を介して結束バンド２１、２１、２１により互いに接合されている。
また、図１〜図３に示すように、本実施の形態に係る布部１３の下端部２２は、本体部１２に対して縫着されている。
【００２４】
また、図１〜図３に示すように、本実施の形態に係る布部１３の開口部１４には開閉可能な閉止具１８が設けられている。図１〜図３に示すように、本実施の形態に係る閉止具１８は、引手１９を有するスライドファスナー１８として構成され、布部１３の上端部２３に縫着されている。
また、図１〜図３に示すように、本実施の形態に係る本体部１２には、リング状部材２４、２４を介して携帯用の把持部２０が設けられている。
【００２５】
また、図１〜図３に示すように、本実施の形態に係る本体部１２はペットボトルを軸方向に沿って切除して形成されている。
【００２６】
以下、本実施の形態に係る靴収納具１０の作用について、添付図面を用いて説明する。
図１及び図２に示すように、本実施の形態に係る靴収納具１０を使用する場合には、まずスライドファスナー１８をスライドし、開口部１４を開放する。その後、図３に示すように、開口部１４から靴Ｓを入れ、靴Ｓを本体部１２に収納する。
この際、図３に示すように、本実施の形態に係る靴収納具１０にあっては、靴Ｓは立てた状態で有底半円筒状の本体部１２に収納され、さらに布部１３によって被覆されるので、靴Ｓを立てた状態で収納することができる。
また、図１〜図３に示すように、本実施の形態に係る本体部１２は上部及び側部に開放部１１を有し、さらに開放部１１は布部１３によって被覆されるので、本体部１２よりも外形寸法の大きい靴を本体部１２に収納した場合であっても、開放部１１から露出した靴は布部１３に被覆されるので、靴を確実に収納することができる。その結果、様々な外形寸法の靴を立てた状態で収納することができる靴収納具を提供することができる。
【００２７】
特に、図１〜図３に示すように、本実施の形態に係る靴収納具１０にあっては、本体部１２に収納した靴Ｓは、底部１５と側面部１６とにより支持されるので、靴Ｓを立てた状態で確実に収納することができる。
【００２８】
図１〜図３に示すように、本実施の形態に係る靴収納具１０にあっては、一対の本体構成部１７、１７には、夫々、靴Ｓが片方ずつ収納され、布部１３によって、靴Ｓが被覆されるので、靴Ｓを片方ずつ確実に収納することができる。
【００２９】
図１〜図３に示すように、本実施の形態に係る靴収納具１０にあっては、開口部１４は、スライドファスナー１８によって開閉可能に閉止されるので、本体部１２に収納された靴Ｓが開口部１４から脱出するといった事態を確実に防止することができる。
【００３０】
図１〜図３に示すように、本実施の形態に係る靴収納具１０にあっては、本体部１２には携帯用の把持部２０が設けられているので、本体部１２に靴Ｓを収納した状態で、把持部２０を把持して携帯することができる。
【００３１】
本実施の形態に係る靴収納具１０にあっては、本体部１２はペットボトルを軸方向に沿って切除して形成されているので、本体部１２はペットボトルを構成する樹脂であるポリエチレンテレフタラート由来の透明度、硬度等を有する。その結果、本体部１２に収納した靴Ｓの状態を外部から視認することができると共に、本体部１２に収納した靴Ｓを外部の衝撃から保護することができる。
また、本実施の形態に係る靴収納具１０にあっては、飲み終わったペットボトルを使用して作製することができるので、生産コストを低減させ、大量に供給することができる。
【産業上の利用可能性】
【００３２】
本考案は、靴収納具に広く適用可能であり、産業上利用可能性を有している。
【符号の説明】
【００３３】
１０：靴収納具
１１：開放部
１２：本体部
１３：布部
１４：開口部
１５：底部
１６：側面部
１７：本体構成部
１８：閉止具（スライドファスナー）
１９：引手
２０：把持部
２１：結束バンド
２２：下端部
２３：上端部
２４：リング状部材
【図１】
0003205824.tif 000003
【図２】
0003205824.tif 000004
【図３】
0003205824.tif 000005